(57)【要約】【課題】回転体から剥離される記録媒体を安定して検知する。【解決手段】現像剤を定着された用紙１５０は、剥離爪１０６により加熱ロール７４から剥離され、剥離爪１０６の近傍に設けられたアクチュエータ１２０の当接部１２４に該用紙１５０の先端が当接する。アクチュエータ１２０は、用紙１５０が当接すると、用紙１５０からの圧力により、支軸１２８を軸として揺動する。そして、圧力を受けたアクチュエータ１２０は、遮光部１２６が下方に下げられ、発光部１３４と受光部１３６との間で遮断していた光信号の光路を開放する。受光部１３６は、光路が開放されると、発光部１３４から出力された光信号を受入れることにより、用紙１５０を検知する。用紙１５０が安定して検知装置１０８を通過すると、アクチュエータ１２０は、遮光部１２６によって発光部１３４から出力される光信号を再び遮断する。【選択図】          図９
2004325815.tif 000002
【特許請求の範囲】
【請求項１】
対向する一対の回転体と、該回転体を回転自在に支持する本体と、前記回転体間を通過する記録媒体を前記回転体から剥離する剥離爪と、記録媒体を検知する検知手段と、この検知手段を構成する少なくとも一つの部品、及び前記剥離爪を、前記本体に対して保持するホルダとを有することを特徴とする定着装置。
【請求項２】
前記検知手段は、記録媒体に当接するアクチュエータと、このアクチュエータの変位を検知する検知部とからなり、前記ホルダは、前記アクチュエータ及び前記剥離爪を保持することを特徴とする請求項１記載の定着装置。
【請求項３】
前記ホルダは、前記本体に対して脱着可能に設けられてなることを特徴とする請求項１又は２記載の定着装置。
【請求項４】
対向する一対の回転体と、該回転体間を通過する記録媒体を前記回転体から剥離する剥離爪と、記録媒体を検知する検知手段とを有し、前記剥離爪及び前記検知手段を近接配置してなることを特徴とする定着装置。
【請求項５】
対向する一対の回転体と、この回転体間に記録媒体を搬送する搬送路と、この搬送路の回転体間後流側で記録媒体を前記回転体から剥離する剥離爪と、この剥離爪の近傍に配置され、記録媒体を検知する検知手段と、この検知手段を構成する少なくとも一つの部品、及び前記剥離爪を保持するホルダとを有することを特徴とする画像形成装置。
【請求項６】
対向する一対の回転体と、この回転体間に記録媒体を搬送する搬送路と、この搬送路の回転体間後流側で記録媒体を前記回転体から剥離する剥離爪と、記録媒体を検知する検知手段とを有し、前記剥離爪及び前記検知手段を近接配置してなることを特徴とする画像形成装置。
【請求項７】
対向する一対の回転体間を通過する記録媒体を前記回転体から剥離する剥離爪と、記録媒体を検知する検知手段を構成する少なくとも一つの部品と、を一体に保持することを特徴とする定着装置用ホルダ。
【発明の詳細な説明】
【０００１】
【発明の属する技術分野】
本発明は、定着装置、画像形成装置及び定着装置用ホルダに関する。
【０００２】
【従来の技術】
画像形成装置の定着装置として、互いに圧接された一対の回転体を有する熱圧力定着方式のものは周知である。この種の定着装置は、回転体に用紙が巻き付き、用紙のジャムを生じさせることがある。
特許文献１は、用紙が回転体に巻き付くことなく通過したか否かを検知するために、アクチュエータ及びセンサを画像形成装置のメンテナンス用開閉カバーに設けることを開示する。
また、特許文献２は、反射式のセンサを用いることにより、回転体に用紙が巻き付いたか否かを、回転体からの反射光量の変化によって判断することを開示する。
【０００３】
【特許文献１】特開平１０−１７１２７５号公報
【特許文献２】特開平７−３１１５１１号公報
【０００４】
【発明が解決しようとする課題】
しかしながら、特許文献１に記載のように、用紙の通過を検知するアクチュエータ及びセンサをメンテナンス用開閉カバーに設けると、回転体に対するアクチュエータの位置決め精度を上げられず、用紙の通過を検知するタイミングが不安定になることがある。
また、特許文献２に記載のように、反射式のセンサによって回転体に用紙が巻き付いたか否かを検知する場合、反射式のセンサの精度や周囲温度の変化などによって、検知の精度が不安定になることがある。
【０００５】そこで、本発明は、回転体から剥離される記録媒体を安定して検知することができる定着装置及びこれを有する画像形成装置を提供することを目的としている。
【０００６】
【課題を解決するための手段】
上記目的を達成するため、本発明の特徴とするところは、対向する一対の回転体と、該回転体を回転自在に支持する本体と、前記回転体間を通過する記録媒体を前記回転体から剥離する剥離爪と、記録媒体を検知する検知手段と、この検知手段を構成する少なくとも一つの部品、及び前記剥離爪を、前記本体に対して保持するホルダとを有する定着装置にある。
【０００７】また、前記検知手段は、記録媒体に当接するアクチュエータと、このアクチュエータの変位を検知する検知部とからなり、前記ホルダは、前記アクチュエータ及び前記剥離爪を保持することが好ましい。
【０００８】また、前記ホルダは、前記本体に対して脱着可能に設けられてなることが好ましい。
【０００９】また、本発明の第２の特徴とするところは、対向する一対の回転体と、該回転体間を通過する記録媒体を前記回転体から剥離する剥離爪と、記録媒体を検知する検知手段とを有し、前記剥離爪及び前記検知手段を近接配置してなる定着装置にある。
【００１０】また、本発明の第３の特徴とするところは、対向する一対の回転体と、この回転体間に記録媒体を搬送する搬送路と、この搬送路の回転体間後流側で記録媒体を前記回転体から剥離する剥離爪と、この剥離爪の近傍に配置され、記録媒体を検知する検知手段と、この検知手段を構成する少なくとも一つの部品、及び前記剥離爪を保持するホルダとを有する画像形成装置にある。
【００１１】また、本発明の第４の特徴とするところは、対向する一対の回転体と、この回転体間に記録媒体を搬送する搬送路と、この搬送路の回転体間後流側で記録媒体を前記回転体から剥離する剥離爪と、記録媒体を検知する検知手段とを有し、前記剥離爪及び前記検知手段を近接配置してなる画像形成装置にある。
【００１２】また、本発明の第５の特徴とするところは、対向する一対の回転体間を通過する記録媒体を前記回転体から剥離する剥離爪と、記録媒体を検知する検知手段を構成する少なくとも一つの部品と、を一体に保持する定着装置用ホルダにある。
【００１３】
【発明の実施の形態】
次に本発明の実施形態を図面に基づいて説明する。
図１において、本発明の実施形態に係る画像形成装置１０の概要が示されている。画像形成装置１０は、画像形成装置本体１２を有し、この画像形成装置本体１２内に像形成手段１４が搭載され、この画像形成装置本体１２の上部に後述する排出部１６が設けられていると共に、この画像形成装置本体１２の下部に例えば２段の給紙ユニット１８，１８が配置されている。さらに、画像形成装置本体１２の下方には、オプションとして複数の給紙ユニットが配置できるようにしてある。
【００１４】それぞれの給紙ユニット１８は、給紙ユニット本体２０と、用紙が収納される給紙カセット２２とを有する。給紙カセット２２の奥端近傍上部にはピックアップロール２４が配置され、このピックアップロール２４の後方にリタードロール２６及びフィードロール２８が配置されている。
【００１５】主搬送路３２は、フィードロール２８から排出口３４までの用紙通路であり、この主搬送路３２は、画像形成装置本体１２の裏側（図１の左側面）近傍にあって、最下端の給紙ユニット１８から後述する定着装置３６まで略鉛直に形成されている部分を有する。この主搬送路３２の定着装置３６の上流側に後述する転写装置４２と像担持体４４が配置され、さらに転写装置４２と像担持体４４の上流側にレジストロール３８が配置されている。さらに、主搬送路３２の排出口３４の近傍には排出ロール４０が配置されている。
【００１６】したがって、給紙ユニット１８の給紙カセット２２からピックアップロール２４により送り出された用紙は、リタードロール２６及びフィードロール２８の協働により捌かれて最上部の用紙のみ主搬送路３２に導かれ、レジストロール３８により一時停止され、タイミングをとって後述する転写装置４２と像担持体４４との間を通って現像剤像が転写され、この転写された現像剤像が定着装置３６により定着され、排出ロール４０により排出口３４から排出部１６へ排出される。
【００１７】ただし、両面印刷の場合は、反転路に戻される。即ち、主搬送路３２の排出ロール４０の手前は二股に分かれ、その分かれた部分に切換装置４６が設けられていると共に、分けられた部分からレジストロール３８まで戻る反転路４８が形成されている。この反転路４８には搬送ロール５０ａ〜５０ｃが設けられており、両面印刷の場合には、切換装置４６が反転路４８を開く側に切り換えられ、排出ロール４０に用紙の後端手前がかかる時点で排出ロール４０が反転し、用紙が反転路４８に導かれ、レジストロール３８、転写装置４２と像担持体４４及び定着装置３６を通って排出口３４から排出部１６へ排出されるものである。
【００１８】像形成手段１４は、例えば電子写真方式のもので、感光体からなる像担持体４４と、この像担持体４４を一様帯電する例えば帯電ロールからなる帯電装置５６と、帯電装置５６により帯電された像担持体４４に、光により潜像を書き込む光書込み装置５８と、この光書込み装置５８により形成された像担持体４４の潜像を現像剤により可視化する現像装置６０と、この現像装置６０による現像剤像を用紙に転写する例えば転写ロールからなる転写装置４２と、像担持体４４に残存する現像剤をクリーニングする例えばブレードからなるクリーニング装置６２と、転写装置４２により転写された用紙上の現像剤像を用紙に定着させる定着装置３６とから構成されている。光書込み装置５８は例えば走査型のレーザ露光装置からなり、前述した給紙ユニット１８と平行で画像形成装置本体１２の正面近傍に配置され、現像装置６０内を横切って像担持体４４を露光する。また、光書込み装置５８は、後述する制御部１４４の制御に基づいて像担持体４４を露光する。そして、像担持体４４の露光位置が潜像書込み位置Ｐとなる。なお、この実施形態においては、光書込み装置５８として走査型のレーザ露光装置を用いたが、他の実施形態としてＬＥＤや面発光レーザ等を用いることができる。
【００１９】プロセスカートリッジ６４は、像担持体４４、帯電装置５６、現像装置６０及びクリーニング装置６２を一体化したものであり、これらを一体として交換できるようになっている。このプロセスカートリッジ６４は、排出部１６を開くことにより、画像形成装置本体１２から取り出すことができる。
【００２０】図２乃至図５において、定着装置３６の構成が示されている。定着装置３６は、例えばユニット化され、ユニット本体６６を有しており、このユニット本体６６は、第１の筐体６８と第２の筐体７０とが組合されて構成されている。即ち、第１の筐体６８と第２の筐体７０とは、本体支点７２を介して連結され、さらに第１の筐体６８には、加熱ロール７４が回転自在に支持され、第２の筐体７０には、加圧ロール７６が回転自在に支持されている。そして、加圧ロール７６がコイルバネ等からなる２つの加圧用弾性体７８，７８によって加熱ロール７４に圧接されることにより、ニップ部８０が形成されている。加圧用弾性体７８，７８のそれぞれは、一端が回転カム８２，８２に支承され、他端が第１の筐体６８に引掛けられている。回転カム８２は、ブラケット８４の一端に回転自在に支持され、回転することで加圧用弾性体７８を伸縮させる。ブラケット８４の他端は、支点８６に支承されている。
【００２１】ニップ部８０を挟んで上下方向には、前述した主搬送路３２が構成され、用紙が下から上へ搬送される。ニップ部８０の上流側には、例えば板状の金属からなるインレットシュート（搬送ガイド）８８が、ニップ部８０の下流側には出口側シュート９０ａ，９０ｂがそれぞれ配置されている。出口側シュート９０ａ，９０ｂは、第１の筐体６８側と第２の筐体７０側とに設けられており、第２の筐体７０側の出口側シュート９０ａが上方に回動することにより用紙を通過させるようになっている。
【００２２】加圧ロール７６は、例えばステンレス又は鉄などからなる回転軸９２と、この回転軸９２を軸として回転し、肉厚が例えば６〜８ｍｍのシリコンスポンジ（アスカーＣ硬度：４０度）などからなる耐熱弾性体層９４と、この耐熱弾性体層９４の表面を覆う被覆層９６とを有する。被覆層９６は、例えばパーフルオロアルコキシ（ＰＦＡ）からなり、膜厚が例えば２０〜１００μｍとなるようにしてある。
【００２３】加熱ロール７４は、円筒状のコア９８と、このコア９８の表面側を被覆する離型層１００とを有する。コア９８は、肉厚が例えば０．５〜１．５ｍｍである。また、コア９８を形成する材料は、例えば鉄またはアルミニウムなどである。離型層１００は、例えばＰＦＡによって形成されており、膜厚が例えば３０〜１００μｍとなるようにしてある。離型層１００を形成する材料は、四フッ化エチレン（ＰＴＦＥ）であってもよい。そして、加熱ロール７４内には例えばランプからなるヒータ１０２が配置され、加熱ロール７４を加熱する。
【００２４】また、第１の筐体６８には、サーモスタット１０４が加熱ロール７４の近傍で、加熱ロール７４に対向するように設けられている。このサーモスタット１０４は、加熱ロール７４の温度が異常に上昇した場合に、この異常温度を検知し、ヒータ１０２への通電を遮断する。
【００２５】第１の筐体６８には、主搬送路３２のニップ部８０後流側に例えば５つの剥離爪１０６が設けられている。それぞれの剥離爪１０６は、加熱ロール７４の軸方向（用紙の幅方向）に離れて配置されており、例えばねじりコイルバネ（図示せず）などにより加熱ロール７４の表面を傷付けない程度の弱い力で加熱ロール７４側に付勢されて、離型層１００に摺接する。そして、剥離爪１０６は、加熱ロール７４に巻き付こうとする用紙を剥がすようになっている。剥離爪１０６を形成する材料は、例えば熱可塑性ポリイミド（ＴＰＩ）及びポリフェニレンサルファイド（ＰＰＳ）などである。
さらに、例えば加熱ロール７４のほぼ中央で加熱ロール７４に摺接する剥離爪１０６の近傍には、剥離爪１０６によって剥離された用紙を検知する検知装置１０８が設けられている。
【００２６】加熱ロール７４の両端近傍には、例えばステンレスボールを有する軸受け１１０，１１０がそれぞれ装着されており、加熱ロール７４は、軸受け１１０，１１０を介して第１の筐体６８に固定されている。さらに、加熱ロール７４の一端には、歯車１１２が設けられている。そして、加熱ロール７４は、他の歯車（図示せず）からの駆動力を歯車１１２が受けることによって回転するようにしてある。
【００２７】次に、検知装置１０８及びその周辺構成について説明する。
図６乃至図８において、検知装置１０８及び検知装置１０８周辺の部材が示されている。第１の筐体６８は、支持部１１４ａ，１１４ｂを含み、支持部１１４ａには、剥離爪１０６及び後述するアクチュエータ１２０を保持するホルダ１１６が係合している。剥離爪１０６は、爪軸１１８によって揺動自在に支持されると共に、爪軸１１８を介してホルダ１１６に保持され、離型層１００に摺接する。検知装置１０８は、用紙に当接することにより変位するアクチュエータ１２０と、このアクチュエータ１２０の変位を検知する例えばフォトインタラプタなどからなる検知部１２２とを有し、上述したように剥離爪１０６の近傍に設けられている。
【００２８】アクチュエータ１２０は、用紙に当接する当接部１２４と、後述する光信号を遮断する遮光部１２６とを有する。また、アクチュエータ１２０は、支軸１２８に揺動自在に支持され、支軸１２８を介してホルダ１１６に保持されると共に、例えばねじりコイルバネなどの弾性体１３０によって主搬送路３２側（待機位置）に向けて付勢されている。このように、ホルダ１１６は、剥離爪１０６及びアクチュエータ１２０を近接させて保持しつつ、ホルダ弾性爪１３２，１３２を支持部１１４ａに係合させることにより、剥離爪１０６及びアクチュエータ１２０の加熱ロール７４に対する位置決めをする。
【００２９】検知部１２２は、光信号を出力する発光部１３４と、発光部１３４が出力した光信号を受入れる受光部１３６と、支持部１１４ｂの側方に内側から係合する側方弾性爪１３８と、支持部１１４ｂの上方に内側から係合する上方弾性爪１４０と、支持部１１４ｂの下方に内側から係合する下方弾性爪１４２とを有する。また、検知部１２２は、側方弾性爪１３８、上方弾性爪１４０及び下方弾性爪１４２が支持部１１４ｂに係合することによって位置決めされ、発光部１３４の発光位置Ｌ１から受光部１３６の受光位置Ｌ２に向けて出力される光信号の光路をアクチュエータ１２０の遮光部１２６が遮断するようにされている。
【００３０】そして、受光部１３６は、発光部１３４からの光信号を受入れているか否かを示す信号を制御部１４４に対して出力する。制御部１４４は、ＣＰＵ１４６及びメモリ１４８を含み、受光部１３６から入力される信号に基づいて、用紙が安定して主搬送路３２を通過しているか否かを判断する。メモリ１４８には、例えばレジストロール３８が用紙搬送を開始した時から、遮断されていた光信号を受光部１３６が受入れる（受光する）までの標準時間（所定時間）が格納されており、ＣＰＵ１４６は、メモリ１４８に格納された所定時間を参照する。また、制御部１４４は、レジストロール３８を制御しており、レジストロール３８が用紙搬送を開始した時から、遮断されていた光信号を受光部１３６が受入れる（受光する）までの時間と、メモリ１４８に格納されている所定時間とを比較することができるように構成されている。
【００３１】例えば、用紙が加熱ロール７４に巻き付くと、アクチュエータ１２０が揺動せず、受光部１３６が所定時間以内で受光をしないので、制御部１４４は、用紙が安定して搬送されていないと判断する。制御部１４４は、用紙が安定して搬送されていないと判断した場合には、例えば画像形成装置１０の画像形成動作を停止（ヒータ１０２への通電停止などを含む）させたり、用紙の搬送に不具合があったことを表示部（図示せず）に表示させたりする。
【００３２】次に上記実施形態の作用について説明する。
画像形成信号が送られると、像担持体４４が帯電装置５６により一様に帯電され、この帯電された像担持体４４には、画像信号に基づいて光書込み装置５８から発した光が照射され、潜像書込み位置Ｐにおいて潜像が形成される。光書込み装置５８からの光は、プロセスカートリッジ６４内を通過する。この光書込み装置５８により形成された像担持体４４の潜像は現像装置６０の現像剤により可視化される。
【００３３】一方、サイズ信号等により給紙ユニット１８のいずれか一つが選択され、給紙カセット２２の一つに収納された用紙は、ピックアップロール２４により送り出され、リタードロール２６及びフィードロール２８により捌かれて主搬送路３２に導かれ、レジストロール３８により一次停止され、タイミングをとって転写装置４２と像担持体４４との間に導かれる。用紙が転写装置４２と像担持体４４との間に導かれると、像担持体４４上の現像剤が転写装置４２により用紙に転写される。現像剤を転写された用紙は、定着装置３６に導かれ、加熱ロール７４と加圧ロール７６とによる熱圧力によって、現像剤を定着される。
【００３４】図９は、剥離爪１０６及び検知装置１０８の作用を示す図である。現像剤を定着された用紙１５０は、剥離爪１０６により加熱ロール７４から剥離され、剥離爪１０６の近傍に設けられたアクチュエータ１２０の当接部１２４に該用紙１５０の先端が当接する。アクチュエータ１２０は、用紙１５０が当接すると、用紙１５０からの圧力により、支軸１２８を軸として揺動（図９において右回り）する。そして、圧力を受けたアクチュエータ１２０は、遮光部１２６が下方に下げられ、発光部１３４と受光部１３６との間で遮断していた光信号の光路を開放する。受光部１３６は、光路が開放されると、発光部１３４から出力された光信号を受入れ、光信号を受入れたことを示す信号を制御部１４４に対して出力する。
【００３５】制御部１４４は、例えばレジストロール３８が用紙搬送を開始した時から、遮断されていた光信号を受光部１３６が受入れる（受光する）までの時間を計測し、計測された時間が所定時間以内であるか否かによって、用紙１５０が安定して搬送されているか否かを判断する。制御部１４４は、用紙１５０が安定して搬送されていないと判断すると、画像形成装置１０の画像形成動作を停止させたり、用紙の搬送に不具合があったことを表示部（図示せず）に表示させたりする。用紙１５０が検知装置１０８を通過すると、アクチュエータ１２０は、弾性体１３０によって主搬送路３２側に付勢され、遮光部１２６によって発光部１３４から出力される光信号を再び遮断する。
【００３６】用紙は、定着装置３６を通過すると、排出ロール４０により排出口３４から排出部１６へ排出される。ただし、両面印刷の場合は、反転路に戻され、再びレジストロール３８、転写装置４２と像担持体４４及び定着装置３６を通って排出口３４から排出部１６へ排出される。
【００３７】次に、受光部１３６から入力される信号に基づく制御部１４４の制御について説明する。
図１０は、受光部１３６から入力される信号に基づく制御部１４４の制御を示すフローチャート（Ｓ１０）である。図１０に示すように、ステップ１００（Ｓ１００）において、制御部１４４は、レジストロール３８を制御し、用紙１５０を像形成手段１４に向けて搬送を開始する。
【００３８】ステップ１０２（Ｓ１０２）において、制御部１４４は、レジストロール３８が用紙搬送を開始した時からの時間の計測を開始する。
【００３９】ステップ１０４（Ｓ１０４）において、制御部１４４は、レジストロール３８が用紙搬送を開始した時からの時間（経過時間）と、メモリ１４８に格納されている所定時間とを比較する。そして、制御部１４４は、経過時間が所定時間以内の場合にはＳ１０６の処理に進み、経過時間が所定時間を超える場合にはＳ１１０の処理に進む。
【００４０】ステップ１０６（Ｓ１０６）において、制御部１４４は、受光部１３６が発光部１３４からの光信号を受光したか否かを示す信号を受光部１３６から受入れる。そして、制御部１４４は、受光部１３６が光信号を受光したことを示す信号を受入れた場合には、Ｓ１０８の処理に進み、その他の場合には、Ｓ１０４の処理に進む。
【００４１】ステップ１０８（Ｓ１０８）において、制御部１４４は、経過時間の計測を終了する。
【００４２】ステップ１１０（Ｓ１１０）において、制御部１４４は、画像形成装置１０における画像形成動作を停止させる。
【００４３】ステップ１１２（Ｓ１１２）において、制御部１４４は、用紙の搬送に不具合があったことを表示部（図示せず）に表示させる。
【００４４】以上のように、剥離爪１０６及びアクチュエータ１２０をホルダ１１６によって保持するようにしたので、剥離爪１０６に対するアクチュエータ１２０の位置がばらつくことを低減することができ、検知装置１０８が用紙を検知するタイミングを安定させることができる。
また、加熱ロール７４から用紙が剥離された直後には、該用紙の先端の姿勢は、剥離爪１０６の外形によって決められる。そして、アクチュエータ１２０が剥離爪１０６の近傍に配置されることにより、用紙の先端がアクチュエータ１２０に当接する位置及び用紙の姿勢を安定させることができ、検知装置１０８が用紙を検知するタイミングを安定させることができる。
さらに、剥離爪１０６が加熱ロール７４に摺接する位置と、用紙が当接部１２４に当接する位置とを近づけ、これらの位置のばらつきを低減させたので、用紙を安定して検知すると共に、用紙のジャムなどを早期に検知することができ、用紙搬送制御の精度を向上させることができる。
【００４５】検知装置１０８は、剥離爪１０６に近接して配置され、アクチュエータ１２０の用紙による変位を検知部１２２によって検知することにより、検知精度を上げることができると共に、安価に構成されることができる。
また、剥離爪１０６及びアクチュエータ１２０をホルダ１１６によって保持するようにしたので、定着装置３６の組立て及び保守を容易にすることができる。
【００４６】
【発明の効果】以上述べたように、本発明によれば、検知装置を構成する少なくとも一つの部品、及び剥離爪を保持するホルダを設けたので、回転体から剥離される記録媒体を安定して検知することができる。
【図面の簡単な説明】
【図１】本発明の実施形態に係る画像形成装置を示す図である。
【図２】本発明の実施形態に係る定着装置を示す斜視図である。
【図３】図２に示した定着装置の加圧用弾性体近傍の側面を示す図である。
【図４】図２に示した定着装置の断面を示す模式図である。
【図５】図２に示した定着装置の加熱ロール周辺を示す斜視図である。
【図６】剥離爪及び検知装置の周辺を示す図である。
【図７】剥離爪、検知装置及び保持部材の組み合わせを示す斜視図である。
【図８】図７に示した組み合わせの上面を示し、制御部との接続を示す図である。
【図９】剥離爪及び検知装置の作用を示す図である。
【図１０】受光部から入力される信号に基づく制御部の制御を示すフローチャートである。
【符号の説明】
１０    画像形成装置
１２    画像形成装置本体
３２    主搬送路
３６    定着装置
６６    ユニット本体
６８    第１の筐体
７０    第２の筐体
７４    加熱ロール
１０２    ヒータ
１０６    剥離爪
１０８    検知装置
１１４ａ，１１４ｂ    支持部
１１６    ホルダ
１１８    爪軸
１２０    アクチュエータ
１２２    検知部
１２４    当接部
１２６    遮光部
１２８    支軸
１３０    弾性体
１３２    ホルダ弾性爪
１３４    発光部
１３６    受光部
１３８    側方弾性爪
１４０    上方弾性爪
１４２    下方弾性爪
１４４    制御部
１４６    ＣＰＵ
１４８    メモリ
１５０    用紙
【図１】
2004325815.tif 000003
【図２】
2004325815.tif 000004
【図３】
2004325815.tif 000005
【図４】
2004325815.tif 000006
【図５】
2004325815.tif 000007
【図６】
2004325815.tif 000008
【図７】
2004325815.tif 000009
【図８】
2004325815.tif 000010
【図９】
2004325815.tif 000011
【図１０】
2004325815.tif 000012